(57)【要約】      （修正有）【課題】犬が、犬小屋の回りや、庭、そして、散歩中に路上、等で、フンをした時、ポリ袋の中に、ワンタッチで、素早く、簡単に、フンを、取り込みをして、取り除き、処理をする、器具の提供。【解決手段】寄せ板（５）の、クリップ取り付け台Ａ（２）にある、クリップ取り付け穴Ａ（１）に、クリップ（６）を、差し込んで、寄せ板（５）を、クリップ（６）に、取り付け、固定する。寄せ受け筒（１７）の、クリップ取り付け台Ｂ（１０）にある、クリップ取り付け穴Ｂ（９）に、クリップ（６）を、差し込んで、寄せ受け筒（１７）を、クリップ（６）に、取り付け、固定する。次に、袋（１８）を、寄せ受け筒（１７）に、取り付ける。【選択図】図２
0003124991.tif 000002
【実用新案登録請求の範囲】
【請求項１】
１．クリップ取り付け穴Ａ（１）のある、クリップ取り付け台Ａ（２）と、穴Ａ（３）を設け、接着テープＡ（４）をハリ付け、一体化した、寄せ板（５）の、クリップ取り付け穴Ａ（１）に、クリップ（６）を、差し込んで、寄せ板（５）を、クリップ（６）に、取り付け固定する。
２．切り込み口（７）のある、袋止め軸（８）と、クリップ取り付け穴Ｂ（９）のある、クリップ取り付け台Ｂ（１０）と、袋ズレ止め軸Ａ（１１）と、袋ズレ止め軸Ｂ（１２）と、袋ズレ止め軸Ｃ（１３）と、袋ささえ（１４）と、穴Ｂ（１５）を設け、接着テープＢ（１６）を、ハリ付け、一体化した、寄せ受け筒（１７）の、クリップ取り付け穴Ｂ（９）に、クリップ（６）を差し込んで、寄せ受け筒（１７）を、クリップ（６）に、取り付け固定する、次に、袋（１８）を、寄せ受け筒（１７）に、取り付ける、以上の如く構成された、犬のフンハサミ寄せ取り器。
【考案の詳細な説明】
【考案の詳細な説明】
【産業上の利用分野】
【０００１】  この考案は、犬が、犬小屋の回りや、庭、散歩中に、路上、等で、フンを、した時に、ポリ袋の中に、ワンタッチで、簡単に、フンを取り込みをして、フンの取り除き処理をする、器具である。
【背景技術】
【０００２】１．従来は、犬のフンを、ポリ袋の中に、取り込む時は、小形シャベルで、すくい取ってから、ポリ袋の中に、移し入れるか、又は、犬のフンを、ティシュ−ペーパーで、ツマミ取り、ポリ袋の中に、フンを、移し入れて、フンの取り除き、作業をしていた。
２．ポリ袋の中に、手を差し入れて、手を、カバーにした、その手で、犬のフンを、つかみ、取ってから、ポリ袋を、裏返しにして、ポリ袋の中に、取り込んで、フンの後始末をしていた。よって、ポリ袋の中に、犬のフンを、取り込む事が、ワンタッチで、簡単に出来ないので、わずらわしい、事であった。そして、従来の、犬のフンハサミ寄せ取り器は、火バサミを使用していたので、大き目な物になっていた。
【考案が解決しようとする課題】
【０００３】１．犬小屋の回りや、庭、散歩中に、路上、等で、フンをした時は、小形シャベルで、すくい取ってから、ポリ袋の中に、移し入れて、フンの取り除き、処理をしていた。又は、ティシュ−ペーパーで、フンを、つかみ取り、ポリ袋の中に、移し入れて、フンの取り除き、処理をしていた。以上の様な、フンの取り除き処理を、しなくても良い様に。
２．ポリ袋の中に、手を差し入れて、手を、カバーにした、その手で、犬のフンを、つかみ、取ってから、ポリ袋を、裏返しにして、ポリ袋の中に、犬のフンを、取り入れる、袋、裏返し取り、方法の、フンの後始末を、しなくても良い様に。
３．ポリ袋の中に、犬のフンを取り込む作業が、ワンタッチで、簡単に出来る様に。
【課題を解決するための手段】
【０００４】  いま図面について説明すると、
１．クリップ取り付け穴Ａ（１）のある、クリップ取り付け台Ａ（２）と、穴Ａ（３）を設け、接着テープＡ（４）を、ハリ付け、一体化した、寄せ板（５）の、クリップ取り付け穴Ａ（１）に、クリップ（６）を、差し込んで、寄せ板（５）を、クリップ（６）に、取り付け固定する。
２．切り込み口（７）のある、袋止め軸（８）と、クリップ取り付け穴Ｂ（９）のある、クリップ取り付け台Ｂ（１０）と、袋ズレ止め軸Ａ（１１）と、袋ズレ止め軸Ｂ（１２）と、袋ズレ止め軸Ｃ（１３）と、袋ささえ（１４）と、穴Ｂ（１５）を、設け、接着テープＢ（１６）を、ハリ付け、一体化した、寄せ受け筒（１７）の、クリップ取り付け穴Ｂ（９）に、クリップ（６）を、差し込んで、寄せ受け筒（１７）を、クリップ（６）に、取り付け、固定する、次に、袋（１８）を寄せ受け筒（１７）に、取り付ける、以上のように構成する。
【作用】
【０００５】  次に、本考案の作用を述べると。
１．本考案の、クリップ（６）の、ツマミを、手に持って、力をいれて、ツマうんで、寄せ板（５）と、寄せ受け筒（１７）の、間を広げる。広くした、間に、犬がした、フンの、位置になる様に、持って行き、ツマミを、つまんだ、力を、ゆるめると、クリップ（６）の、バネの力で、寄せ板（５）が、フンを、ハサミ寄せて、寄せ受け筒（１７）の中に、寄せ入れる。
２．犬のフンを、寄せ入れた、本考案の、犬のフンハサミ寄せ取り器を、手で持ち上げてから、寄せ受け筒（１７）を、垂直にして、袋（１８）の中に、コロがり落すと、袋（１８）の中に、入いる。次に、寄せ受け筒（１７）、取り付けていた、袋（１８）を、取り外して、袋（１８）の中に、入いた、犬のフンを、処理する。
【実施例】
【０００６】１．袋（１８）の、取り付け方法で、寄せ受け筒（１７）と、寄せ板（５）の、両方、全部を、袋（１８）で、覆うって、袋（１８）の、内側を、手で押して、寄せ受け筒（１７）の中に、押し込み、そして、袋（１８）が、フワ、フワ、しない様に、接着テープＡ（４）と、接着テープＢ（１６）に、袋（１８）を、指で、押して、ハリ付け、袋（１８）の、ズレをなくした、取り付け方法をして、犬のフンを、取り込んでから、袋（１８）を、裏返えしにして、取り外し、フンを、袋（１８）の中に取り入れるので、本考案の、犬のフンハサミ寄せ取り器を、フンで、汚さない様に、フンの、取り込み、処理、作業が出来る。
２．本考案の、寄せ受け筒（１７）に、取り付けた、袋（１８）の、底端の方を、まくり上げて、袋ズレ止め軸Ｂ（１２）に、袋（１８）の、底端を、はめ込み、止めてから、寄せ受け筒（１７）の、底受けに、なる様に、してから、寄せ板（５）で、寄せ受け筒（１７）の中に、フンを、寄せ入れた時、犬のフンが、袋（１８）の中に、入り込まない様に、底、受け止めにして、ゴミ取り式の様に、フンの処理が出来る。
【考案の効果】
【０００７】１．小形シャベルを、使用して、ポリ袋の中に、犬のフンを、移し取りを、しなくても、良い様になり、ワンタッチで、簡単に取り込みが、出来る様になった。
２．ポリ袋の中に、手を、差し入れて、犬のフンを、つかみ、取ってから、ポリ袋を、裏返しにして、ポリ袋の中に、取り込んで、フンの、後始末をしていたが、ポリ袋の、裏返し取りを、しなくても良い様になった。
３．本考案の、犬のフンハサミ寄せ取り器は、クリップ（６）を、使用するので、小型に出来る。
４．本考案の、寄せ受け筒（１７）の、容量が、小さくても、又は、フンの、取り込み口が、普通より、小さくても、袋（１８）を、使用するので、犬のフンを、多量に、取り込み、処理が出来る。
【図面の簡単な説明】
【図１】  本考案の、袋（１８）を、除いた、本考案の、斜視図。
【図２】  本考案の、袋（１８）を、取り付けた、本考案の、斜視図。
【符号の説明】
１  クリップ取り付け穴Ａ
２  クリップ取り付け台Ａ
３  穴Ａ
４  接着テープＡ
５  寄せ板
６  クリップ
７  切り込み口
８  袋止め軸
９  クリップ取り付け穴Ｂ
１０  クリップ取り付け台Ｂ
１１  袋ズレ止め軸Ａ
１２  袋ズレ止め軸Ｂ
１３  袋ズレ止め軸Ｃ
１４  袋ささえ
１５  穴Ｂ
１６  接着テープＢ
１７  寄せ受け筒
１８  袋
【図１】
0003124991.tif 000003
【図２】
0003124991.tif 000004